(57)【要約】【課題】１コマ送り再生、早送り再生、及び指定されたコマ番号又は日付けの画像を再生させるダイレクト再生が可能で、かつこれらの再生を簡単に使い分けることができる撮像装置を提供する。【解決手段】この撮像装置は、１コマ送り再生機能と、早送り再生機能と、ダイレクト再生機能とを有し、１コマ送り再生機能から早送り再生機能又はダイレクト再生機能への遷移は、コマ送り指示手段によるコマ送り指示が一定時間以上継続した場合に行なわれる（ステップＳ２０）。また、早送り再生機能に遷移するか、ダイレクト再生機能に遷移するかは、記録メディアに記録されている撮影枚数に応じて決定され（ステップＳ２２）、撮影枚数が所定の枚数以上の場合には、ダイレクト再生機能に遷移し（ステップＳ３０）、撮影枚数が所定の枚数未満の場合には、早送り再生機能に遷移する（ステップＳ４０）。【選択図】      図３
2006025004.tif 000002
【特許請求の範囲】
【請求項１】
撮影した画像を記録メディアに記録する撮影モードと、前記記録メディアに記録された画像を表示手段に表示させる再生モードとを有する撮像装置において、
前記再生モード時に前記表示手段に表示される画像の１コマ送りを指示するコマ送り指示手段と、
前記記録メディアに記録されている撮影枚数を求める手段と、
前記再生モード時に前記コマ送り指示手段によるコマ送り指示が一定時間以上継続し、かつ前記記録メディアに記録されている撮影枚数が所定の枚数以上のときに、コマ番号又は日付けの入力を受け付ける検索モードを設定する検索モード設定手段と、
前記検索モード時に任意のコマ番号又は日付けを入力する入力手段と、
前記再生モード時に前記コマ送り指示手段によるコマ送り指示が一定時間以上継続し、かつ前記記録メディアに記録されている撮影枚数が所定の枚数未満のときに、前記記録メディアから順次画像を読み出して前記表示手段に早送り表示させ、前記入力手段によるコマ番号又は日付けの入力が確定すると、その入力が確定したコマ番号又は日付けを有する画像を前記記録メディアから読み出して前記表示手段に表示させる制御手段と、
を備えたことを特徴とする撮像装置。
【請求項２】
撮影した画像を記録メディアに記録する撮影モードと、前記記録メディアに記録された画像を表示手段に表示させる再生モードとを有する撮像装置において、
前記再生モード時に前記表示手段に表示される画像の日付けを検出する検出手段と、
前記再生モード時に前記表示手段に表示される画像の１コマ送り又は１コマ戻しを指示するコマ送り指示手段と、
前記再生モード時に前記コマ送り指示手段による１コマ送り指示が一定時間以上継続すると、現在表示されている画像の日付け以降の最も近い日付けの画像を前記記録メディアから検索し、前記コマ送り指示手段による１コマ戻し指示が一定時間以上継続すると、現在表示されている画像の日付け以前の最も近い日付けの画像を前記記録メディアから検索する検索手段と、
前記コマ送り指示手段による１コマ送り又は１コマ戻しの指示にしたがって前記記録メディアから順次画像を読み出して前記表示手段に表示させるとともに、前記検索手段によって検索された画像を前記表示手段に表示させる制御手段と、を備え、
前記制御手段は、前記コマ送り指示手段から前記一定時間以上の１コマ送り又は１コマ戻しが指示された後、再度１コマ送り又は１コマ戻しが指示されると、その指示にしたがって前記検索された画像から順に画像を表示させることを特徴とする撮像装置。
【請求項３】
前記検索手段によって検索された画像が前記表示手段に表示されているいるときに、コマ番号又は日付けの入力を受け付ける検索モードの設定が可能な検索モード設定手段と、  前記検索モード時に任意のコマ番号又は日付けを入力する入力手段と、を備え、
前記制御手段は、前記入力手段によるコマ番号又は日付けの入力が確定すると、その入力が確定したコマ番号又は日付けを有する画像を前記記録メディアから読み出して前記表示手段に表示させることを特徴とする請求項２に記載の撮像装置。
【請求項４】
撮影した画像を記録メディアに記録する撮影モードと、前記記録メディアに記録された画像を表示手段に表示させる再生モードとを有する撮像装置において、
前記再生モード時に前記表示手段に表示される画像の１コマ送りを指示するコマ送り指示手段と、
外部プリンタと接続される接続手段を有し、前記記録メディアに記録された画像を前記接続手段を介して外部プリンタに出力する送信手段と、
前記送信手段による画像の送信が可能な状態になると、コマ番号又は日付けの入力を受け付ける検索モードを設定する検索モード設定手段と、
前記検索モード時に任意のコマ番号又は日付けを入力する入力手段と、
前記入力手段によるコマ番号又は日付けの入力が確定すると、その入力が確定したコマ番号又は日付けを有する画像を前記記録メディアから読み出して前記表示手段に表示させる制御手段と、
を備えたことを特徴とする撮像装置。
【請求項５】
プリント指示を行なう操作手段を有し、前記送信手段は、前記操作手段からプリント指示が行なわれると、現在再生されている画像を前記外部プリンタに送信することを特徴とする請求項４に記載の撮像装置。
【請求項６】
撮影した画像を記録メディアに記録する撮影モードと、前記記録メディアに記録された画像を表示手段に表示させる再生モードとを有する撮像装置において、
前記記録メディアに記録されている撮影枚数を求める手段と、
前記再生モード時に前記記録メディアに記録されている撮影枚数が所定の枚数以上であることを条件に、コマ番号又は日付けの入力を受け付ける検索モードの設定が可能な検索モード設定手段と、
前記検索モード時に任意のコマ番号又は日付けを入力する入力手段と、
前記入力手段によるコマ番号又は日付けの入力が確定すると、その入力が確定したコマ番号又は日付けを有する画像を前記記録メディアから読み出して前記表示手段に表示させる制御手段と、
を備えたことを特徴とする撮像装置。
【請求項７】
撮影した画像を記録メディアに記録する撮影モードと、前記記録メディアに記録された画像を表示手段に表示させる再生モードとを有する撮像装置において、
前記再生モード時に前記表示手段に表示される画像の１コマ送りを指示するコマ送り指示手段と、
前記記録メディアに記録された画像を所定のインターバルで自動的に順次再生させるオートプレイモードを設定するオートプレイモード設定手段と、
前記オートプレイモード時に前記コマ送り指示手段によるコマ送り指示が入力されると、コマ番号又は日付けの入力を受け付ける検索モードを設定する検索モード設定手段と、
前記検索モード時に任意のコマ番号又は日付けを入力する入力手段と、
前記入力手段によるコマ番号又は日付けの入力が確定すると、その入力が確定したコマ番号又は日付けを有する画像にジャンプし、このジャンプした画像から前記オートプレイモードによる画像再生を継続させる制御手段と、
を備えたことを特徴とする撮像装置。
【請求項８】
前記検索モード設定手段は、前記オートプレイモード時に前記コマ送り指示手段によるコマ送り指示が一定時間以上継続したときに、前記検索モードを設定することを特徴とする請求項７に記載の撮像装置。
【請求項９】
記録メディアに記録された画像を表示手段に表示させる画像再生装置において、
前記表示手段に表示される画像の１コマ送りを指示するコマ送り指示手段と、
前記記録メディアに記録されている撮影枚数を求める手段と、
前記コマ送り指示手段によるコマ送り指示が一定時間以上継続し、かつ前記記録メディアに記録されている撮影枚数が所定の枚数以上のときに、コマ番号又は日付けの入力を受け付ける検索モードを設定する検索モード設定手段と、
前記検索モード時に任意のコマ番号又は日付けを入力する入力手段と、
前記コマ送り指示手段によるコマ送り指示が一定時間以上継続し、かつ前記記録メディアに記録されている撮影枚数が所定の枚数未満のときに、前記記録メディアから順次画像を読み出して前記表示手段に早送り表示させ、前記入力手段によるコマ番号又は日付けの入力が確定すると、その入力が確定したコマ番号又は日付けを有する画像を前記記録メディアから読み出して前記表示手段に表示させる制御手段と、
を備えたことを特徴とする画像再生装置。
【請求項１０】
記録メディアに記録された画像を表示手段に表示させる画像再生装置において、
前記表示手段に表示される画像の日付けを検出する検出手段と、
前記表示手段に表示される画像の１コマ送り又は１コマ戻しを指示するコマ送り指示手段と、
前記コマ送り指示手段による１コマ送り指示が一定時間以上継続すると、現在表示されている画像の日付け以降の最も近い日付けの画像を前記記録メディアから検索し、前記コマ送り指示手段による１コマ戻し指示が一定時間以上継続すると、現在表示されている画像の日付け以前の最も近い日付けの画像を前記記録メディアから検索する検索手段と、
前記コマ送り指示手段による１コマ送り又は１コマ戻しの指示にしたがって前記記録メディアから順次画像を読み出して前記表示手段に表示させるとともに、前記検索手段によって検索された画像を前記表示手段に表示させる制御手段と、を備え、
前記制御手段は、前記コマ送り指示手段から前記一定時間以上の１コマ送り又は１コマ戻しが指示された後、再度１コマ送り又は１コマ戻しが指示されると、その指示にしたがって前記検索された画像から順に画像を表示させることを特徴とする画像再生装置。
【請求項１１】
記録メディアに記録された画像を表示手段に表示させる画像再生装置において、
前記表示手段に表示される画像の１コマ送りを指示するコマ送り指示手段と、
外部プリンタと接続される接続手段を有し、前記記録メディアに記録された画像を前記接続手段を介して外部プリンタに出力する送信手段と、
前記送信手段による画像の送信が可能な状態になると、コマ番号又は日付けの入力を受け付ける検索モードを設定する検索モード設定手段と、
前記検索モード時に任意のコマ番号又は日付けを入力する入力手段と、
前記入力手段によるコマ番号又は日付けの入力が確定すると、その入力が確定したコマ番号又は日付けを有する画像を前記記録メディアから読み出して前記表示手段に表示させる制御手段と、
を備えたことを特徴とする画像再生装置。
【請求項１２】
記録メディアに記録された画像を表示手段に表示させる画像再生装置において、
前記記録メディアに記録されている撮影枚数を求める手段と、
前記記録メディアに記録されている撮影枚数が所定の枚数以上であることを条件に、コマ番号又は日付けの入力を受け付ける検索モードの設定が可能な検索モード設定手段と、
前記検索モード時に任意のコマ番号又は日付けを入力する入力手段と、
前記入力手段によるコマ番号又は日付けの入力が確定すると、その入力が確定したコマ番号又は日付けを有する画像を前記記録メディアから読み出して前記表示手段に表示させる制御手段と、
を備えたことを特徴とする画像再生装置。
【請求項１３】
記録メディアに記録された画像を表示手段に表示させる画像再生装置において、
前記表示手段に表示される画像の１コマ送りを指示するコマ送り指示手段と、
前記記録メディアに記録された画像を所定のインターバルで自動的に順次再生させるオートプレイモードを設定するオートプレイモード設定手段と、
前記オートプレイモード時に前記コマ送り指示手段によるコマ送り指示が入力されると、コマ番号又は日付けの入力を受け付ける検索モードを設定する検索モード設定手段と、
前記検索モード時に任意のコマ番号又は日付けを入力する入力手段と、
前記入力手段によるコマ番号又は日付けの入力が確定すると、その入力が確定したコマ番号又は日付けを有する画像にジャンプし、このジャンプした画像から前記オートプレイモードによる画像再生を継続させる制御手段と、
を備えたことを特徴とする画像再生装置。
【発明の詳細な説明】
【技術分野】
【０００１】
本発明は撮像装置及び画像再生装置に係り、特に記録メディアに記録された画像の中から所望の画像を検索する技術に関する。
【背景技術】
【０００２】
従来、デジタルカメラを外部プリンタに接続し、デジタルカメラで選択した画像を外部プリンタに転送してプリントさせるダイレクトプリントシステムが知られている。
【０００３】
特許文献１には、ダイレクトプリントする画像を選択する際に、デジタルカメラの背面の液晶モニタに複数の縮小画像（サムネイル画像）を表示させ、複数のサムネイル画像の中からプリントする画像を選択する記載がある。
【０００４】
また、特許文献２には、特許文献１と同様にダイレクトプリントする画像を選択する際に、縮小画像を早送りして所望の画像を選択する記載がある。
【０００５】
一方、特許文献３には、１コマ送り再生の他に、コマジャンプ再生機能とダイレクトアクセス再生機能を有する電子スチルカメラが記載されている。即ち、コマジャンプ再生機能は、再生モード時にコマ送り／コマ戻しキーを押し続けると、コマ番号のみが１コマずつ増加又は減少し、所望のコマ番号表示になったときにキーの押下を解除すると、表示されているコマ番号の画像を再生する機能であり、ダイレクトアクセス再生機能は、再生モード時にレリーズスイッチを押すと、コマ番号の入力が可能となり、コマ番号の入力後に確定操作を行なうと（レリーズスイッチを再度押すと）、入力したコマ番号の画像を再生する機能である。
【特許文献１】特許第３４２７８３７号
【特許文献２】特許第３４２７８３８号
【特許文献３】特開平１０−１７４０３４公報
【発明の開示】
【発明が解決しようとする課題】
【０００６】
近年のデジタルカメラに使用するメモリの大容量化に伴い、１枚のメモリに多数の画像を記録することができるようになってきている。例えば、５１２ＭＢのメモリには１０００枚もの画像を記録することができる。
【０００７】
多数の画像が記録されているメモリから所望の画像（プリントする画像等）を選択する場合、デジタルカメラの背面の液晶モニタに画像を１枚ずつ再生しながら検索することは多くの時間と労力を要するという問題がある。
【０００８】
特許文献１、２に記載のように液晶モニタに複数のサムネイル画像からなるマルチ画面を表示させたり、サムネイル画像を早送り表示させることで、検索のスピードを向上させることができるが、画像を確認しながら所望の画像を探すにはやはり多くの時間と労力を要する。
【０００９】
一方、特許文献３に記載の発明は、コマジャンプ再生機能やダイレクトアクセス再生機能を使用することにより、メモリ内に多数の画像が記録されていても所望の画像を早く検索することが可能になるが、特許文献３には、メモリに記録されている画像の枚数等に応じた機能の使い分けに関する記載がない。
【００１０】
また、多数の画像から所望の画像を検索する場合、所望の画像を撮影した日付け（イベント）を手がかりに検索するが、引用文献３に記載のコマジャンプ再生機能は、日付け毎に再生する画像をジャンプさせる機能がなく、所望の画像を探しにくいという問題がある。
【００１１】
更に、デジタルカメラには、メモリに記録された画像を所定のインターバルで自動的に順次再生させるオートプレイモードを有するものがあるが、このオートプレイモードでの自動再生は、メモリに記録されている画像のうちの先頭画像から画像を順番に再生しており、自動再生中に画像を飛ばして再生することができないという問題がある。
【００１２】
本発明の目的は、１コマ送り再生機能と、早送り再生機能と、設定されたコマ番号又は日付けの画像を再生させるダイレクト再生機能とを有し、かつこれらの再生機能を簡単に使い分けることができる撮像装置を提供することにある。
【００１３】
本発明の他の目的は、１コマ送り再生機能と、日付け毎に画像を飛ばして再生するスキップ再生機能とを有し、かつこれらの再生機能を簡単に使い分けることができる撮像装置及び画像再生装置を提供することにある。
【００１４】
本発明の更に他の目的は、外部プリンタに画像を直接送信してプリントさせるダイレクトプリント機能と、設定されたコマ番号又は日付けの画像を再生させるダイレクト再生機能とを有し、前記ダイレクト再生機能への切り替えを自動的に行なうことができる撮像装置及び画像再生装置を提供することにある。
【００１５】
本発明の他の目的は、記録メディアに記録された画像を１コマずつ自動的に再生するオートプレイ機能を有し、このオートプレイ機能による自動再生中に任意の画像から自動再生を行なわせることができる撮像装置及び画像再生装置を提供することにある。
【課題を解決するための手段】
【００１６】
前記目的を達成するために請求項１に係る発明は、撮影した画像を記録メディアに記録する撮影モードと、前記記録メディアに記録された画像を表示手段に表示させる再生モードとを有する撮像装置において、前記再生モード時に前記表示手段に表示される画像の１コマ送りを指示するコマ送り指示手段と、前記記録メディアに記録されている撮影枚数を求める手段と、前記再生モード時に前記コマ送り指示手段によるコマ送り指示が一定時間以上継続し、かつ前記記録メディアに記録されている撮影枚数が所定の枚数以上のときに、コマ番号又は日付けの入力を受け付ける検索モードを設定する検索モード設定手段と、前記検索モード時に任意のコマ番号又は日付けを入力する入力手段と、前記再生モード時に前記コマ送り指示手段によるコマ送り指示が一定時間以上継続し、かつ前記記録メディアに記録されている撮影枚数が所定の枚数未満のときに、前記記録メディアから順次画像を読み出して前記表示手段に早送り表示させ、前記入力手段によるコマ番号又は日付けの入力が確定すると、その入力が確定したコマ番号又は日付けを有する画像を前記記録メディアから読み出して前記表示手段に表示させる制御手段と、を備えたことを特徴としている。
【００１７】
即ち、上記撮像装置は、１コマ送り再生機能と、早送り再生機能と、ダイレクト再生機能（コマ番号又は日付けの設定が行なわれる検索モードが設定され、その検索モードで設定されたコマ番号又は日付けの画像を再生する機能）とを有しており、１コマ送り再生機能から早送り再生機能又はダイレクト再生機能への遷移は、コマ送り指示手段によるコマ送り指示が一定時間以上継続した場合に行なわれる。また、早送り再生機能に遷移するか、ダイレクト再生機能に遷移するかは、記録メディアに記録されている撮影枚数に応じて決定され、撮影枚数が所定の枚数以上の場合には、ダイレクト再生機能に遷移し、撮影枚数が所定の枚数未満の場合には、早送り再生機能に遷移する。これにより、記録メディアに記録されている画像の中から所望の画像を効率よく探すことができ、かつコマ送り指示手段の操作のみで各再生機能を簡単に使い分けることができる。
【００１８】
請求項２に係る発明は、撮影した画像を記録メディアに記録する撮影モードと、前記記録メディアに記録された画像を表示手段に表示させる再生モードとを有する撮像装置において、前記再生モード時に前記表示手段に表示される画像の日付けを検出する検出手段と、前記再生モード時に前記表示手段に表示される画像の１コマ送り又は１コマ戻しを指示するコマ送り指示手段と、前記再生モード時に前記コマ送り指示手段による１コマ送り指示が一定時間以上継続すると、現在表示されている画像の日付け以降の最も近い日付けの画像を前記記録メディアから検索し、前記コマ送り指示手段による１コマ戻し指示が一定時間以上継続すると、現在表示されている画像の日付け以前の最も近い日付けの画像を前記記録メディアから検索する検索手段と、前記コマ送り指示手段による１コマ送り又は１コマ戻しの指示にしたがって前記記録メディアから順次画像を読み出して前記表示手段に表示させるとともに、前記検索手段によって検索された画像を前記表示手段に表示させる制御手段と、を備え、前記制御手段は、前記コマ送り指示手段から前記一定時間以上の１コマ送り又は１コマ戻しが指示された後、再度１コマ送り又は１コマ戻しが指示されると、その指示にしたがって前記検索された画像から順に画像を表示させることを特徴としている。
【００１９】
即ち、上記撮像装置は、１コマ送り再生機能と、日付け毎に画像を飛ばして再生するスキップ再生機能とを有しており、１コマ送り再生機能からスキップ再生機能への遷移は、コマ送り指示手段によるコマ送り指示が一定時間以上継続した場合に行なわれる。これにより、日付け毎にスキップして所望の画像の検索を行なうことができる。
【００２０】
請求項３に示すように請求項２に記載の撮像装置において、前記検索手段によって検索された画像が前記表示手段に表示されているいるときに、コマ番号又は日付けの入力を受け付ける検索モードの設定が可能な検索モード設定手段と、前記検索モード時に任意のコマ番号又は日付けを入力する入力手段と、を備え、前記制御手段は、前記入力手段によるコマ番号又は日付けの入力が確定すると、その入力が確定したコマ番号又は日付けを有する画像を前記記録メディアから読み出して前記表示手段に表示させることを特徴としている。即ち、上記スキップ再生機能の他に、更にダイレクト再生機能を追加し、これにより、記録メディアにそれぞれ日付けの異なる多数の画像が記録されている場合でも所望の画像を効率よく検索できるようにしている。
【００２１】
請求項４に係る発明は、撮影した画像を記録メディアに記録する撮影モードと、前記記録メディアに記録された画像を表示手段に表示させる再生モードとを有する撮像装置において、前記再生モード時に前記表示手段に表示される画像の１コマ送りを指示するコマ送り指示手段と、外部プリンタと接続される接続手段を有し、前記記録メディアに記録された画像を前記接続手段を介して外部プリンタに出力する送信手段と、前記送信手段による画像の送信が可能な状態になると、コマ番号又は日付けの入力を受け付ける検索モードを設定する検索モード設定手段と、前記検索モード時に任意のコマ番号又は日付けを入力する入力手段と、前記入力手段によるコマ番号又は日付けの入力が確定すると、その入力が確定したコマ番号又は日付けを有する画像を前記記録メディアから読み出して前記表示手段に表示させる制御手段と、を備えたことを特徴としている。
【００２２】
即ち、上記撮像装置は、１コマ送り再生機能と、ダイレクト再生機能とを有し、特に外部プリンタへの画像の送信が可能な状態になると、自動的にダイレクト再生機能を使用した画像の再生ができるようにしている。これにより、外部プリンタでプリントする画像を迅速に検索することができる。
【００２３】
請求項５に示すように請求項４に記載の撮像装置において、プリント指示を行なう操作手段を有し、前記送信手段は、前記操作手段からプリント指示が行なわれると、現在再生されている画像を前記外部プリンタに送信することを特徴としている。
【００２４】
請求項６に係る発明は、撮影した画像を記録メディアに記録する撮影モードと、前記記録メディアに記録された画像を表示手段に表示させる再生モードとを有する撮像装置において、前記記録メディアに記録されている撮影枚数を求める手段と、前記再生モード時に前記記録メディアに記録されている撮影枚数が所定の枚数以上であることを条件に、コマ番号又は日付けの入力を受け付ける検索モードの設定が可能な検索モード設定手段と、前記検索モード時に任意のコマ番号又は日付けを入力する入力手段と、前記入力手段によるコマ番号又は日付けの入力が確定すると、その入力が確定したコマ番号又は日付けを有する画像を前記記録メディアから読み出して前記表示手段に表示させる制御手段と、を備えたことを特徴としている。
【００２５】
請求項７に係る発明は、撮影した画像を記録メディアに記録する撮影モードと、前記記録メディアに記録された画像を表示手段に表示させる再生モードとを有する撮像装置において、前記再生モード時に前記表示手段に表示される画像の１コマ送りを指示するコマ送り指示手段と、前記記録メディアに記録された画像を所定のインターバルで自動的に順次再生させるオートプレイモードを設定するオートプレイモード設定手段と、前記オートプレイモード時に前記コマ送り指示手段によるコマ送り指示が入力されると、コマ番号又は日付けの入力を受け付ける検索モードを設定する検索モード設定手段と、前記検索モード時に任意のコマ番号又は日付けを入力する入力手段と、前記入力手段によるコマ番号又は日付けの入力が確定すると、その入力が確定したコマ番号又は日付けを有する画像にジャンプし、このジャンプした画像から前記オートプレイモードによる画像再生を継続させる制御手段と、を備えたことを特徴としている。
【００２６】
従来のオートプレイモードによる自動再生は、記録メディアに記録されている先頭の画像から順番に再生しているが、請求項７に係る発明では、任意のコマ番号又は日付けを有する画像にジャンプさせてその画像からオートプレイモードによる自動再生を継続させることができるようにしている。また、コマ番号又は日付けを受け付けるための検索モードは、オートプレイモード中にコマ送り指示手段によるコマ送り指示があると設定できるようになっており、利用者にとって検索モードの設定操作が分かりやすい。
【００２７】
請求項８に示すように請求項７に記載の撮像装置において、前記検索モード設定手段は、前記オートプレイモード時に前記コマ送り指示手段によるコマ送り指示が一定時間以上継続したときに、前記検索モードを設定することを特徴としている。
【００２８】
請求項９に係る発明は、記録メディアに記録された画像を表示手段に表示させる画像再生装置において、前記表示手段に表示される画像の１コマ送りを指示するコマ送り指示手段と、前記記録メディアに記録されている撮影枚数を求める手段と、前記コマ送り指示手段によるコマ送り指示が一定時間以上継続し、かつ前記記録メディアに記録されている撮影枚数が所定の枚数以上のときに、コマ番号又は日付けの入力を受け付ける検索モードを設定する検索モード設定手段と、前記検索モード時に任意のコマ番号又は日付けを入力する入力手段と、前記コマ送り指示手段によるコマ送り指示が一定時間以上継続し、かつ前記記録メディアに記録されている撮影枚数が所定の枚数未満のときに、前記記録メディアから順次画像を読み出して前記表示手段に早送り表示させ、前記入力手段によるコマ番号又は日付けの入力が確定すると、その入力が確定したコマ番号又は日付けを有する画像を前記記録メディアから読み出して前記表示手段に表示させる制御手段と、を備えたことを特徴としている。
【００２９】
請求項１０に係る発明は、記録メディアに記録された画像を表示手段に表示させる画像再生装置において、前記表示手段に表示される画像の日付けを検出する検出手段と、前記表示手段に表示される画像の１コマ送り又は１コマ戻しを指示するコマ送り指示手段と、前記コマ送り指示手段による１コマ送り指示が一定時間以上継続すると、現在表示されている画像の日付け以降の最も近い日付けの画像を前記記録メディアから検索し、前記コマ送り指示手段による１コマ戻し指示が一定時間以上継続すると、現在表示されている画像の日付け以前の最も近い日付けの画像を前記記録メディアから検索する検索手段と、前記コマ送り指示手段による１コマ送り又は１コマ戻しの指示にしたがって前記記録メディアから順次画像を読み出して前記表示手段に表示させるとともに、前記検索手段によって検索された画像を前記表示手段に表示させる制御手段と、を備え、前記制御手段は、前記コマ送り指示手段から前記一定時間以上の１コマ送り又は１コマ戻しが指示された後、再度１コマ送り又は１コマ戻しが指示されると、その指示にしたがって前記検索された画像から順に画像を表示させることを特徴としている。
【００３０】
請求項１１に係る発明は、記録メディアに記録された画像を表示手段に表示させる画像再生装置において、前記表示手段に表示される画像の１コマ送りを指示するコマ送り指示手段と、外部プリンタと接続される接続手段を有し、前記記録メディアに記録された画像を前記接続手段を介して外部プリンタに出力する送信手段と、前記送信手段による画像の送信が可能な状態になると、コマ番号又は日付けの入力を受け付ける検索モードを設定する検索モード設定手段と、前記検索モード時に任意のコマ番号又は日付けを入力する入力手段と、前記入力手段によるコマ番号又は日付けの入力が確定すると、その入力が確定したコマ番号又は日付けを有する画像を前記記録メディアから読み出して前記表示手段に表示させる制御手段と、を備えたことを特徴としている。
【００３１】
請求項１２に係る発明は、記録メディアに記録された画像を表示手段に表示させる画像再生装置において、前記記録メディアに記録されている撮影枚数を求める手段と、前記記録メディアに記録されている撮影枚数が所定の枚数以上であることを条件に、コマ番号又は日付けの入力を受け付ける検索モードの設定が可能な検索モード設定手段と、前記検索モード時に任意のコマ番号又は日付けを入力する入力手段と、前記入力手段によるコマ番号又は日付けの入力が確定すると、その入力が確定したコマ番号又は日付けを有する画像を前記記録メディアから読み出して前記表示手段に表示させる制御手段と、を備えたことを特徴としている。
【００３２】
請求項１３に係る発明は、記録メディアに記録された画像を表示手段に表示させる画像再生装置において、前記表示手段に表示される画像の１コマ送りを指示するコマ送り指示手段と、前記記録メディアに記録された画像を所定のインターバルで自動的に順次再生させるオートプレイモードを設定するオートプレイモード設定手段と、前記オートプレイモード時に前記コマ送り指示手段によるコマ送り指示が入力されると、コマ番号又は日付けの入力を受け付ける検索モードを設定する検索モード設定手段と、前記検索モード時に任意のコマ番号又は日付けを入力する入力手段と、前記入力手段によるコマ番号又は日付けの入力が確定すると、その入力が確定したコマ番号又は日付けを有する画像にジャンプし、このジャンプした画像から前記オートプレイモードによる画像再生を継続させる制御手段と、を備えたことを特徴としている。
【発明の効果】
【００３３】
本発明によれば、１コマ送り再生機能の他に、早送り再生機能、及び設定されたコマ番号又は日付けの画像を再生させるダイレクト再生機能を有し、コマ送り指示手段のみの操作と記録メディアに記録されている撮影枚数とによって各再生機能を使い分けることができるようにしたため、所望の画像を効率よく見つけて再生させることができ、かつそのときの操作が分かりやすいという利点がある。
【００３４】
また、本発明によれば、１コマ送り再生機能の他に、日付け毎に画像を飛ばして再生するスキップ再生機能を有し、コマ送り指示手段のみの操作によってこれらの再生機能を使い分けることができるようにしたため、日付け毎にスキップして所望の画像の見つけることができる。
【００３５】
更に、本発明によれば、外部プリンタへの画像の送信が可能な状態になると、コマ番号又は日付けが設定された画像の再生ができるようにしたため、外部プリンタでプリントする画像を迅速に検索することができる。
【００３６】
また、本発明によれば、オートプレイモードによる自動再生中に設定されたコマ番号又は日付けの画像にスキップさせて自動再生を継続させることができ、これにより記録メディアに記録された画像の先頭から順番に自動再生させる場合に限らず、任意のコマ番号又は日付けの画像から自動再生させることができる。
【発明を実施するための最良の形態】
【００３７】
以下添付図面に従って本発明に係る撮像装置及び画像再生装置の好ましい実施の形態について詳説する。
【００３８】
図１は本発明に係る撮像装置の背面図である。
【００３９】
同図に示すように、この撮像装置（デジタルカメラ）１０のモードダイヤル１は、回転させることにより、マニュアル撮影モード、オート撮影モード、人物モード等のうちのいずれかの撮影モードに設定できるようになっている。また、モードダイヤル１の中央には、撮影ボタン２が設けられている。
【００４０】
このデジタルカメラ１０の背面には、図１に示すようにファインダ接眼部３、電源ボタン４、表示キー５、モード切替えレバー６、キャンセルキー７、メニュー／ＯＫキー８、上下左右キーからなるマルチファンクションの十字キー９、及び液晶モニタからなる画像表示装置２８が設けられている。
【００４１】
画像表示装置２８は、カメラの動作モードや十字キー９の機能等を文字やアイコンで表示する。また、画像表示装置２８は、動画（スルー画像）を表示して電子ビューファインダとして使用できるとともに、撮影した記録前の画像（プレビュー画像）やカメラに装填された記録メディアから読み出した再生画像等を表示することができる。更に、画像表示装置１０は、撮影可能コマ数や再生コマ番号の表示、マニュアル設定する際のホワイトバランス、画素数、圧縮率、及びシャープネス等をマニュアル設定する際の各種のメニュー等がメニュー／ＯＫキー８や十字キー９の操作に応じて表示される。また、画像表示装置２８は、後述するようにユーザーに再生する画像のコマ番号、又は日付けの入力を促すための画面の表示も行う。
【００４２】
図２は図１に示したデジタルカメラ１０の内部構成を示すブロック図である。
【００４３】
同図において、デジタルカメラ１０は、静止画や動画の記録及び再生機能を有し、デジタルカメラ１０全体の動作は中央処理装置（ＣＰＵ）１２によって統括制御される。 ＣＰＵ１２は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００４４】
バス１４を介してＣＰＵ１２と接続されたＲＯＭ１６には、ＣＰＵ１２が実行するプログラム及び制御に必要な各種データ等が格納され、ＥＥＰＲＯＭ１７には、ＣＣＤ画素欠陥情報、カメラ動作に関する各種定数／情報等が格納されている。
【００４５】
また、メモリ（ＳＤＲＡＭ）１８は、プログラムの展開領域及びＣＰＵ１２の演算作業用領域として利用されるとともに、画像データや音声データの一時記憶領域として利用される。ＶＲＡＭ２０は画像データ専用の一時記憶メモリであり、Ａ領域２０ＡとＢ領域２０Ｂが含まれている。メモリ１８とＶＲＡＭ２０は共用することが可能である。
【００４６】
図１に示した撮影ボタン２、モード切替えレバー６、キャンセルキー７、メニュー／ＯＫキー８、十字キー９等の各種の操作手段からの信号はＣＰＵ１２に入力され、ＣＰＵ１２は入力信号に基づいてデジタルカメラ１０の各回路を制御し、例えば、レンズ駆動制御、撮影動作制御、画像処理制御、画像データの記録／再生制御、画像表示装置２８の表示制御などを行う。
【００４７】
モード切替えレバー６は、撮影モードと再生モードとを切り替えるための操作手段である。モード切替えレバー６を操作して可動接片６Ａを接点ａに接続させると、その信号がＣＰＵ１２に入力され、デジタルカメラ１０は撮影モードに設定され、可動接片６Ａを接点ｂに接続させると、デジタルカメラ１０は記録済みの画像を再生する再生モードに設定される。
【００４８】
撮影ボタン２は、撮影開始の指示を入力する操作ボタンであり、半押し時にＯＮするＳ１スイッチと、全押し時にＯＮするＳ２スイッチとを有する二段ストローク式のスイッチで構成されている。
【００４９】
メニュー／ＯＫキー８は、画像表示装置２８の画面上にメニューを表示させる指令を行うためのメニューボタンとしての機能と、選択内容の確定及び実行などを指令するＯＫボタンとしての機能とを兼備した操作キーである。十字キー９は、上下左右の４方向の指示を入力する操作部であり、メニュー画面から項目を選択したり、各メニューから各種設定項目の選択を指示したりするボタン（カーソル移動操作手段）として機能する。また、十字キー９の上／下キーは撮影時のズームスイッチあるいは再生時の再生ズームスイッチとして機能し、左／右キーは再生モード時のコマ送り（順方向／逆方向送り）キーとして機能する。キャンセルキー７は、選択項目など所望の対象の消去や指示内容の取消し、あるいは１つ前の操作状態に戻らせる時などに使用される。
【００５０】
画像表示装置２８は、撮影時に画角確認用の電子ファインダとして使用できるとともに、記録済み画像を再生表示する手段として利用される。また、画像表示装置２８は、ユーザインターフェース用表示画面としても利用され、必要に応じてメニュー情報や選択項目、設定内容などの情報が表示される。
【００５１】
デジタルカメラ１０は、メディアソケット（メディア装着部）３０を有し、メディアソケット３０には記録メディア３２を装着することができる。記録メディアの形態は特に限定されず、xD-PictureCard（商標）、スマートメディア（商標）に代表される半導体メモリカード、可搬型小型ハードディスク、磁気ディスク、光ディスク、光磁気ディスクなど、種々の媒体を用いることができる。
【００５２】
メディアコントローラ３４は、メディアソケット３０に装着される記録メディア３２に適した入出力信号の受渡しを行うために所要の信号変換を行う。
【００５３】
また、デジタルカメラ１０はパソコン、外部プリンタ、その他の外部機器と接続するための通信手段としてＵＳＢインターフェース部３６を備えている。図示せぬＵＳＢケーブルを用いてカメラ１０と外部機器を接続することにより、外部機器との間でデータの受渡しが可能となる。もちろん、通信方式はＵＳＢに限らず、IEEE1394やBluetooth その他の通信方式を適用してもよい。
【００５４】
次に、デジタルカメラ１０の撮影機能について説明する。
【００５５】
モード切替えレバー６によって撮影モードが選択されると、カラーＣＣＤ固体撮像素子（以下ＣＣＤと記載）３８を含む撮像部に電源が供給され、撮影可能な状態になる。
【００５６】
レンズユニット４０は、フォーカスレンズを含む撮影レンズ４２と絞り兼用メカシャッター４４とを含む光学ユニットである。レンズユニット４０は、ＣＰＵ１２によって制御されるレンズ駆動部４６、絞り駆動部４８によって電動駆動され、ズーム制御、フォーカス制御及びアイリス制御が行われる。
【００５７】
レンズユニット４０を通過した光は、ＣＣＤ３８の受光面に結像される。ＣＣＤ３８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ３８は、各フォトダイオードの電荷蓄積時間（シャッタースピード）を制御する電子シャッター機能を有している。ＣＰＵ１２は、タイミングジェネレータ５０を介してＣＣＤ３８での電荷蓄積時間を制御する。尚、ＣＣＤ３８に代えてＭＯＳ型など他の方式の撮像素子を用いてもよい。
【００５８】
ＣＣＤ３８の受光面に結像された被写体像は、各フォトダイオードによって入射光量に応じた量の信号電荷に変換される。各フォトダイオードに蓄積された信号電荷は、ＣＰＵ１２の指令に従いタイミングジェネレータ５０から与えられる駆動パルスに基づいて信号電荷に応じた電圧信号（画像信号）として順次読み出される。
【００５９】
ＣＣＤ３８から出力された信号はアナログ処理部（ＣＤＳ／ＡＭＰ）５２に送られ、ここで画素ごとのＲ，Ｇ，Ｂ信号がサンプリングホールド（相関二重サンプリング処理）され、増幅された後、Ａ／Ｄ変換器５４に加えられる。Ａ／Ｄ変換器５４によってデジタル信号に変換された点順次のＲ，Ｇ，Ｂ信号は、画像入力コントローラ５６を介してメモリ１８に記憶される。
【００６０】
画像信号処理回路５８は、メモリ１８に記憶されたＲ，Ｇ，Ｂ信号をＣＰＵ１２の指令に従って処理する。即ち、画像信号処理回路５８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１２からのコマンドに従ってメモリ１８を活用しながら所定の信号処理を行う。画像信号処理回路５８に入力されたＲＧＢの画像データは、画像信号処理回路５８において輝度信号（Ｙ信号）及び色差信号（Ｃr,Ｃb 信号）に変換されるとともに、ガンマ補正等の所定の処理が施される。画像信号処理回路５８で処理された画像データはＶＲＡＭ２０に格納される。
【００６１】
撮影画像を画像表示装置２８にモニタ出力する場合、ＶＲＡＭ２０から画像データが読み出され、バス１４を介してビデオエンコーダ６０に送られる。ビデオエンコーダ６０は、入力された画像データを表示用の所定方式の信号（例えば、ＮＴＳＣ方式のカラー複合映像信号）に変換して画像表示装置２８に出力する。
【００６２】
ＣＣＤ３８から出力される画像信号によって、１コマ分の画像を表す画像データがＡ領域２０ＡとＢ領域２０Ｂとで交互に書き換えられる。ＶＲＡＭ２０のＡ領域２０Ａ及びＢ領域２０Ｂのうち、画像データが書き換えられている方の領域以外の領域から、書き込まれている画像データが読み出される。このようにしてＶＲＡＭ２０内の画像データが定期的に書き換えられ、その画像データから生成される映像信号が画像表示装置２８に供給されることにより、撮像中の映像がリアルタイムに画像表示装置２８に表示される。撮影者は、画像表示装置２８に表示される映像（スルームービー画）によって撮影画角を確認できる。
【００６３】
撮影ボタン２が半押しされ、Ｓ１がオンすると、カメラ１０はＡＥ及びＡＦ処理を開始する。即ち、ＣＣＤ３８から出力された画像信号はＡ／Ｄ変換後に画像入力コントローラ５６を介してＡＦ検出回路６２並びにＡＥ／ＡＷＢ検出回路６４に入力される。
【００６４】
ＡＥ／ＡＷＢ検出回路６４は、１画面を複数のエリア（例えば、１６×１６）に分割し、分割エリアごとにＲＧＢ信号を積算する回路を含み、その積算値をＣＰＵ１２に提供する。ＣＰＵ１２は、ＡＥ／ＡＷＢ検出回路６４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１２はＣＣＤ３８の電子シャッター及びアイリスを制御して適正な露光量を得る。
【００６５】
また、ＡＥ／ＡＷＢ検出回路６４は、自動ホワイトバランス調整時には、分割エリアごとにＲＧＢ信号の色別の平均積算値を算出し、その算出結果をＣＰＵ１２に提供する。ＣＰＵ１２は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００６６】
本デジタルカメラ１０におけるＡＦ制御は、例えば映像信号のＧ信号の高周波成分が極大になるようにフォーカシングレンズ（撮影レンズ４２を構成するレンズ光学系のうちフォーカス調整に寄与する移動レンズ）を移動させるコントラストＡＦが適用される。即ち、ＡＦ検出回路６２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００６７】
ＡＦ検出回路６２で求めた積算値のデータはＣＰＵ１２に通知される。ＣＰＵ１２は、レンズ駆動部４６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部４６を制御する。尚、ＡＦ評価値の演算はＧ信号を利用する態様に限らず、輝度信号（Ｙ信号）を利用してもよい。
【００６８】
撮影ボタン２４が半押しされ、Ｓ１オンによってＡＥ／ＡＦ処理が行われ、撮影ボタン２４が全押しされ、Ｓ２オンによって記録用の撮影動作がスタートする。Ｓ２オンに応動して取得された画像データは画像信号処理回路５８において輝度／色差信号（Ｙ／Ｃ信号）に変換され、ガンマ補正等の所定の処理が施された後、メモリ１８に格納される。
【００６９】
メモリ１８に格納されたＹ／Ｃ信号は、圧縮伸張回路６６によって所定のフォーマットに従って圧縮された後、メディアコントローラ３４を介して記録メディア３２に記録される。例えば、静止画についてはJPEG（Joint Photographic Experts Group）形式で記録される。
【００７０】
次に、本発明に係る撮像装置における再生時にプリントする画像等の所望の画像を再生させる場合について説明する。
【００７１】
図３は本発明に係る撮像装置における再生時の処理の第１の実施の形態を示すフローチャートである。
【００７２】
同図において、モード切替えレバー６により再生モードが選択されると（ステップＳ１０）、記録メディア３２に記録されている最終の画像ファイル（最後に記録されたファイル）の圧縮データが読み出される。この読み出された画像圧縮データは、圧縮伸張回路６６を介して非圧縮のＹＣ信号に伸張され、画像信号処理回路５８及びビデオエンコーダ６０を介して表示用の信号に変換された後、画像表示装置２８に出力される。これにより、当該ファイルの画像内容が画像表示装置２８の画面上に再生される（ステップＳ１２）。
【００７３】
続いて、ユーザーは再生された画像のプリント設定を行なうか否かを判断し（ステップＳ１４）、プリント設定を行なわない場合には、ＣＰＵ１２は、十字キー９の右／左キーが押されたか（ＯＮされたか）否かを判別する（ステップＳ１６）。
【００７４】
右／左キーがＯＮされていない場合には、ステップＳ１４に戻り、ＯＮされた場合には、１コマ送り再生を行なう（ステップＳ１８）。即ち、現在表示されている画像のコマ番号の次のコマ番号、又は１つ前のコマ番号（右キーがＯＮされた場合には次のコマ番号、左キーがＯＮされた場合には１コマ前のコマ番号）の画像ファイルが記録メディア３２から読み出され、上記と同様にして画像が画像表示装置２８に再生表示される。
【００７５】
次に、ＣＰＵ１２は、ステップＳ１６でＯＮされた右／左キーが、一定期間（例えば、１秒間以上）継続してＯＮされているか否かを判別する（ステップＳ２０）。そして、右／左キーが一定期間継続してＯＮされていない場合には、ステップＳ１４に戻る。上記ステップＳ１４〜Ｓ２０の処理を繰り返すことにより、１コマずつ順コマ送り／逆コマ送りすることができる。
【００７６】
一方、ステップＳ２０において、十字キー９の右／左キーが一定期間継続してＯＮされていると判別されると、続いて、記録メディア３２に記録されている画像の撮影枚数が、所定の枚数以上か否かが判別される（ステップＳ２２）。ここで、上記判断基準となる所定の枚数としては、例えば１００枚とすることができる。
【００７７】
そして、撮影枚数が所定の枚数以上である（撮影枚数が多い）と判別されると、前述した１コマ送り再生機能からダイレクト再生機能に移行する（ステップＳ３０）。
【００７８】
図４はダイレクト再生処理を示すフローチャートである。同図に示すように、ダイレクト再生機能に移行すると、画像表示装置２８に現在表示されている画像上に、「コマ番号」及び「日付け」の入力画面をオーバーレイ表示させる（ステップＳ３１）。
【００７９】
図５は上記「コマ番号」及び「日付け」の入力画面が表示された画像表示装置２８の画面の一例を示している。
【００８０】
図５の入力画面の「コマ番号」の欄７０、及び「日付け」の欄７２には、例えば、十字キー９の上／下キーによって数字をアップダウンさせ、十字キー９の右／左キーによって「 コマ番号」の桁や「 日付け」 の年月日の位置を移動させることによって、任意のコマ番号や日付けを入力することができる。
【００８１】
また、「コマ番号」 の欄７０に任意のコマ番号が入力されると、そのコマ番号の画像に対応する日付けが「 日付け」 の欄７２の表示に反映され、「日付け」 の欄７２に任意の日付け（年月日）が入力されると、その日付けの画像に対応するコマ番号が「 コマ番号」 の欄７０の表示に反映される。
【００８２】
また、ダイレクト再生機能に移行すると、画像表示装置２８には、「コマ番号」の欄７０又は「日付け」の欄７２に入力されたコマ番号又は日付けの画像の、記録メディア３２に記録されている全画像内の位置を示す棒グラフ７４が表示される。
【００８３】
図４に戻って、ＣＰＵ１２は、「コマ番号」又は「日付け」の入力後にメニュー／ＯＫキー８がＯＮされたか否かを判別し（ステップＳ３３）、ＯＮされていない場合には、ステップＳ３２に戻り、ＯＮされた場合には、ステップＳ３４に進む。
【００８４】
ステップＳ３４では、ステップＳ３２で入力指定された「 コマ番号」又は「日付け」の画像を記録メディア３２から抽出し、その画像を画像表示装置２８に表示させ、図３のステップＳ１４に戻る。
【００８５】
尚、上記の実施の形態では、「コマ番号」及び「日付け」の入力画面で、コマ番号及び日付けの両方を入力できるようになっているが、「コマ番号」の欄７０又は「日付け」の欄７２を排他的に表示し、いずれか一方のみを入力ができるようにしてもよい。この場合、いずれの入力を可能にするかは、図示しないメニュー画面で適宜設定する。
【００８６】
一方、図３のステップＳ２２において、記録メディア３２に記録されている画像の撮影枚数が、所定の枚数未満であると判別されると、１コマ送り再生機能から早送り再生機能に移行する（ステップＳ４０）。
【００８７】
図６は早送り再生処理を示すフローチャートである。同図に示すように、早送り再生機能に移行すると、画像表示装置２８に早送り再生画面を表示させる（ステップＳ４１）。
【００８８】
図７は画像表示装置２８に表示される早送り再生画面の一例を示している。同図に示すように、早送り再生画面は、１コマ送り再生時に表示された画像の下方に、３コマ分のサムネイル画像７６を表示するとともに、中央のサムネイル画像の記録メディア３２に記録されている全画像内の位置を示す棒グラフ７４を表示する。
【００８９】
図６に戻って、ＣＰＵ１２は、十字キー９の右／左キーが継続してＯＮされているか否かを判別する（ステップＳ４２）。そして、右／左キーが継続してＯＮされている場合には、サムネイル画像７６及び棒グラフ７８を更新させ、ステップＳ４１に戻る（ステップＳ４３）。これにより、右／左キーを継続してＯＮし続けることにより画像表示装置２８に表示される３コマのサムネイル画像７６を早送りさせることができる。
【００９０】
一方、右／左キーがＯＦＦされると、ＯＦＦされた時点に表示された３コマのサムネイル画像のうちの中央のサムネイル画像が画像表示装置２８に１コマ表示され、図３のステップＳ１４に戻る。
【００９１】
図３のステップＳ１４において、上記右／左キーの操作により画像表示装置２８に表示させた画像のプリント設定を行う場合には、例えば、メニュー／ＯＫキー８及び十字キー９を操作してプリントメニューを選択し、プリント設定するためのステップＳ５０に移行する。
【００９２】
図８はプリント設定処理を示すフローチャートである。同図に示すように、ステップＳ５１でプリント枚数の設定を行う。プリント枚数の設定は、十字キー９の上／下キーによって数字をアップダウンさせることによって行う。
【００９３】
続いて、プリントするか否か（メニュー／ＯＫキー８がＯＮされたか否か）を判別する。メニュー／ＯＫキー８がＯＮされていない場合には、キャンセルキー７がＯＮされたか否かを判別する（ステップＳ５３）。
【００９４】
そして、キャンセルキー７がＯＮされずに、メニュー／ＯＫキー８がＯＮされると、画像表示装置２８に表示されている画像の画像データを記録メディア３２から読み出し、この読み出した画像データとステップＳ５１で設定したプリント枚数を、ＵＳＢインターフェース部３６と接続されている外部プリンタ（図示せず）に送信する（ステップＳ５４）。
【００９５】
図９は本発明に係る撮像装置における再生時の処理の第２の実施の形態を示すフローチャートである。尚、図３に示した第１の実施の形態と共通するステップには同一のステップ番号を付し、その詳細な説明は省略する。
【００９６】
図３に示した第１の実施の形態では、十字キー９の右／左キーが一定期間継続してＯＮされていると判別されると、画像の撮影枚数が所定の枚数以上か否かによってダイレクト再生又は早送り再生に移行するが、図９に示す実施の形態では、ステップＳ２０において、右／左キーが一定期間継続してＯＮされていると判別されると、現在、画像表示装置２８に表示されている画像の日付けの次の日付けの画像を再生させる（ステップＳ６０）。
【００９７】
ここで、右キーが一定期間継続してＯＮされている場合には、現在、画像表示装置２８に表示されている画像の日付け以降の最も近い日付けの画像（その日付けの画像が複数ある場合には、最も時刻の早い画像）を記録メディア３２から検索し、一方、左キーが一定期間継続してＯＮされている場合には、現在、画像表示装置２８に表示されている画像の日付け以前の最も近い日付けの画像（その日付けの画像が複数ある場合には、最も時刻の遅い画像）を記録メディア３２から検索し、この検索した画像を画像表示装置２８に表示させる。
【００９８】
その後、一定期間継続してＯＮされている右／左キーがＯＦＦされると（ステップＳ６２）、次に再び右／左キーがＯＮされたか否か、又はメニュー／ＯＫキー８がＯＮされたか否かを判別する（ステップＳ６４、Ｓ６６）。
【００９９】
右／左キーがメニュー／ＯＫキー８よりも先にＯＮされると、ステップＳ１４に移行し、メニュー／ＯＫキー８が右／左キーよりも先にＯＮされると、ステップＳ３０に移行する。ステップＳ３０では、図４及び図５で説明したように「コマ番号」又は「日付け」を設定し、その設定した「コマ番号」又は「日付け」の画像をダイレクトに読み出して画像表示装置２８に表示させることができる。
【０１００】
即ち、図９に示した実施の形態では、右／左キーを一定期間継続してＯＮすることにより、同一日付けの画像のうちの時刻の最も早い画像のみ、又は同一日付けの画像のうちの時刻の最も遅い画像のみを順次表示させることができ、また、右／左キーを一定期間継続してＯＮした直後にメニュー／ＯＫキー８をＯＮすることで、「コマ番号」又は「日付け」を設定した画像をダイレクトに再生させることができる。
【０１０１】
図１０は本発明に係る撮像装置における再生時の処理の第３の実施の形態を示すフローチャートである。尚、図３に示した第１の実施の形態と共通するステップには同一のステップ番号を付し、その詳細な説明は省略する。
【０１０２】
図３に示した第１の実施の形態では、十字キー９の右／左キーが一定期間継続してＯＮされ、かつ画像の撮影枚数が所定の枚数以上の場合に、ダイレクト再生機能に移行し、「コマ番号」又は「日付け」を設定した画像をダイレクトに再生可能にしたが、図１０に示す実施の形態では、デジタルカメラ１０のＵＳＢインターフェース部３６と外部プリンタ（図示せず）とが接続されたか否かを判別し（ステップＳ７０）、接続された場合には、ステップＳ３０に移行し、「コマ番号」又は「日付け」を設定した画像をダイレクトに再生できるようにしている。
【０１０３】
図１１は本発明に係る撮像装置における再生時の処理の第４の実施の形態を示すフローチャートである。尚、図９に示した第２の実施の形態と共通するステップには同一のステップ番号を付し、その詳細な説明は省略する。
【０１０４】
図９に示した第２の実施の形態では、十字キー９の右／左キーの操作によって１コマ送り再生を行っている状態で、右／左キーを一定期間継続してＯＮした場合の制御に関するが、図１１に示す第４の実施の形態では、オートプレイモードにより自動再生をしている状態で、右／左キーを一定期間継続してＯＮした場合の制御に関する点で相違する。
【０１０５】
ここで、オートプレイモードとは、記録メディア３２に記録された画像を、先頭コマから所定のインターバルで自動的に順次再生させるモードであり、再生モード時にメニュー／ＯＫキー８の操作によって設定することができる。
【０１０６】
即ち、図１１のステップＳ８０で、オートプレイモードが設定されていると判別されると、所定のインターバルで１コマ送り再生を行う。ここで、右／左キーが一定期間継続してＯＮされると（ステップＳ２０）、次の日付けを有する画像にジャンプして再生する（ステップＳ６０）。また、次の日付けを有する画像にジャンプした後、メニュー／ＯＫキー８をＯＮにすると（ステップＳ６６）、ステップＳ３０に移行し、ここで、図４及び図５で説明したように「コマ番号」又は「日付け」を設定した画像にジャンプして再生させることができる。尚、次の日付けを有する画像にジャンプした後、右／左キーを再びＯＮにすると、又はダイレクト再生で指定した「コマ番号」又は「日付け」の画像にジャンプした後は、そのジャンプした画像からオートプレイモードによる自動再生が再開する。
【０１０７】
尚、この実施の形態では、撮像装置としてデジタルカメラを例に説明したが、本発明に係る撮像装置は、カメラ付き携帯電話、デジタルビデオカメラ等の撮像装置でもよい。また、本発明に係る画像再生装置は、再生機能を有するデジタルカメラに限らず、携帯情報端末（ＰＤＡ）、パーソナルコンピュータ等の画像再生が可能の機器でもよい。
【図面の簡単な説明】
【０１０８】
【図１】図１は本発明に係る撮像装置の背面図である。
【図２】図２は図１に示したデジタルカメラ１０の内部構成を示すブロック図である。
【図３】図３は本発明に係る撮像装置における再生時の処理の第１の実施の形態を示すフローチャートである。
【図４】図４はダイレクト再生処理を示すフローチャートである。
【図５】図５は「コマ番号」及び「日付け」の入力画面が表示された画像表示装置の画面の一例を示す図である。
【図６】図６は早送り再生処理を示すフローチャートである。
【図７】図７は画像表示装置に表示される早送り再生画面の一例を示す図である。
【図８】図８はプリント設定処理を示すフローチャートである。
【図９】図９は本発明に係る撮像装置における再生時の処理の第２の実施の形態を示すフローチャートである。
【図１０】図１０は本発明に係る撮像装置における再生時の処理の第３の実施の形態を示すフローチャートである。
【図１１】図１１は本発明に係る撮像装置における再生時の処理の第４の実施の形態を示すフローチャートである。
【符号の説明】
【０１０９】
１…モードダイヤル、２…撮影ボタン、６…モード切替えレバー、７…キャンセルキー、８…メニュー／ＯＫキー、９…十字キー、１０…撮像装置（デジタルカメラ）、１２…ＣＰＵ、１６…ＲＯＭ、１７…ＥＥＰＲＯＭ、１８…メモリ、２８…画像表示装置、３２…記録メディア、３８…カラーＣＣＤ固体撮像素子（ＣＣＤ）、４０…レンズユニット、４２…撮影レンズ、５８…画像信号処理回路
【図１】
2006025004.tif 000003
【図２】
2006025004.tif 000004
【図３】
2006025004.tif 000005
【図４】
2006025004.tif 000006
【図５】
2006025004.tif 000007
【図６】
2006025004.tif 000008
【図７】
2006025004.tif 000009
【図８】
2006025004.tif 000010
【図９】
2006025004.tif 000011
【図１０】
2006025004.tif 000012
【図１１】
2006025004.tif 000013